(57)【特許請求の範囲】
【請求項１】
着用者の身体前側と身体後側とに延びる前後方向と、前記前後方向に直交する幅方向と、着用者に向かう内方向と、前記内方向と反対側に向かう外方向とを有する吸収体を備え、
前記吸収体は、前記着用者の股間部に当てられる股間部領域において、前記幅方向における前記吸収体の中央部に形成される中央部分と、前記幅方向における前記吸収体の側端を含む一対の側端部分と、前記中央部分と前記側端部分との間に位置する一対の中間部分と、を有するように構成された使い捨て着用物品であって、
前記吸収体の中央部分には、前記吸収体が前記内方向に凸に曲がることができるように中央曲部が形成され、
前記吸収体の前記中央曲部よりも前記幅方向外側には、前記吸収体が前記外方向に凸に曲がることができるように前記前後方向に沿って一対の第１曲部が形成され、
前記吸収体の前記第１曲部よりも前記幅方向外側には、前記吸収体が前記内方向に凸に曲がることができるように前記前後方向に沿って一対の第２曲部が形成されており、
前記中央曲部によって前記内方向に凸となった吸収体の頂面が前記股間部に当接し、
前記中央曲部の前端部は、前記第２曲部の前端部よりも後方に位置することを特徴とする使い捨て着用物品。
【請求項２】
前記幅方向において、前記中央曲部と前記第１曲部との間に位置する吸収体の密度は、前記中央部分に位置する吸収体の密度よりも高いことを特徴とする、請求項１に記載の使い捨て着用物品。
【請求項３】
前記中央曲部の後端部は、前記第２曲部の後端部よりも後方に位置する、請求項１又は請求項２に記載の使い捨て着用物品。
【請求項４】
前記中央曲部は、前記前後方向に沿って配置された中央弾性材によって構成され、
前記第２曲部は、前記前後方向に沿って配置された第１弾性材によって構成されており、
前記中央弾性材は、前記吸収体が凸に曲がる前の状態において、前記中央弾性材の応力が前記第１弾性材の応力よりも高くなるように設けられている、請求項１から請求項３のいずれかに記載の使い捨て着用物品。
【請求項５】
前記中央弾性材は、前記幅方向における前記中央弾性材の中央に位置する中央部弾性部材と、前記中央部弾性部材よりも前記幅方向外側に位置する中央補助弾性部材と、を備えており、
前記中央部弾性部材は、前記吸収体が凸に曲がる前の状態において、前記中央部弾性部材の応力が前記中央補助弾性部材の応力よりも高くなるように設けられている、請求項４に記載の使い捨て着用物品。
【請求項６】
前記吸収体の前記第２曲部よりも前記幅方向外側、かつ前記第２曲部よりも後側には、前記前後方向に沿って第２弾性材が形成されている、請求項１から請求項５のいずれかに記載の使い捨て着用物品。
【請求項７】
前記吸収体は、
前記着用者との非肌当接面側に位置する第１層と、
前記第１層と重ねられ、かつ前記着用者の肌当接面側に位置する第２層とを有し、
前記中央部分の吸収体は、前記第２層のみによって形成され、
前記中央曲部と前記第１曲部との間に位置する吸収体は、前記第１層と前記第２層とによって形成され、
前記第１曲部と前記第２曲部と間に位置する吸収体は、前記第２層のみによって形成される、請求項１から請求項６のいずれかに記載の使い捨て着用物品。
【請求項８】
前記中央曲部、前記第１曲部、及び前記第２曲部は、前記前後方向に沿って設けられ且つ前記第１層の前記幅方向における外側端部と、前記前後方向に沿って前記吸収体に形成されたスリットと、前記前後方向に沿って配置された弾性材とのうち少なくともいずれかによって構成される、請求項７に記載の使い捨て着用物品。
【請求項９】
着用者の身体前側と身体後側とに延びる前後方向と、前記前後方向に直交する幅方向と、着用者に向かう内方向と、前記内方向と反対側に向かう外方向とを有する吸収体を備え、
前記吸収体は、前記着用者の股間部に当てられる股間部領域において、前記幅方向における前記吸収体の中央部に形成される中央部分と、前記幅方向における前記吸収体の側端を含む一対の側端部分と、前記中央部分と前記側端部分との間に位置する一対の中間部分と、を有するように構成され、
前記吸収体は、前記着用者との非肌当接面側に位置する第１層と、
前記第１層と重ねられ、かつ前記着用者の肌当接面側に位置する第２層とを有し、
前記第１層は、前記第２層よりも前記幅方向の長さが短く構成された使い捨て着用物品であって、
前記吸収体の前記中央部分には、中央弾性材が設けられ、
前記吸収体の前記中央弾性材よりも前記幅方向外側には、前記第１層の前記幅方向における外側端部が前記前後方向に沿って配置され、
前記吸収体の前記外側端部よりも前記幅方向外側には、前記前後方向に沿って一対の第１弾性材が設けられており、
前記中央弾性材の前端部は、前記第１弾性材の前端部よりも後方に位置することを特徴とする使い捨て着用物品。
【発明の詳細な説明】
【技術分野】
【０００１】
本発明は、吸収体を凸状に曲げる曲部が吸収体に形成された使い捨て着用物品に関する。
【背景技術】
【０００２】
パンツ型おむつなどの使い捨て着用物品では、着用者の装着感向上や排泄物の漏れ防止を図るため、様々な工夫がなされている。例えば、着用者の排泄物を吸収する吸収体に、吸収体の前後方向に沿って５つの曲部が形成されたパンツ型おむつが知られている（例えば、特許文献１）。
【０００３】
具体的には、このパンツ型おむつでは、吸収体に曲部としての５本のスリットが形成され、着用時に各スリットの周辺部分がそれぞれ曲がる。中央のスリット周辺部分は、着用者の排泄口に向けて凸状となる。また、中央のスリットよりも幅方向外側に位置する中間のスリット周辺部分は、中央のスリット周辺部分と逆側に凸状、すなわち排泄口に対して凹状となる。また、中間のスリットよりも幅方向外側に位置する側部のスリット周辺部分は、着用者の排泄口に向けて凸状となる。
【０００４】
すなわち、吸収体には、幅方向に沿って、凸状部分と凹状部分とが交互に隣接して形成される。吸収体の中央部分が股間部分に当接するため、吸収性能を高めることができる。また、複数の凸状部分と凹状部分とによって吸収体が股間部分に沿って曲がり易くなるため、フィット性が向上する。
【先行技術文献】
【特許文献】
【０００５】
【特許文献１】特開２００５−３４６５２号公報（第１２頁、第５図）
【発明の概要】
【発明が解決しようとする課題】
【０００６】
しかしながら、上述した従来のパンツ型おむつにおいては、以下の問題があった。すなわち、吸収体の中央に位置するスリットの長さ方向における長さと、側部に位置するスリットの長さ方向における長さとは、略同じである。したがって、吸収体の中央に位置する凸状部分の長さと、側部に位置する凸状部分の長さとは、略同じとなる。しかし、着用者の股間中央の形状と股間側部の形状とは、異なる。よって、着用者の身体と吸収体とに隙間が生じたり、密着しすぎてしまったりして、装着感が悪化するおそれがあった。
【０００７】
そこで、本発明は、吸収体を凸状に曲げて吸収性能を高める場合において、装着感の悪化を抑制することができるパンツ型おむつなどの使い捨て着用物品を提供することを目的とする。
【課題を解決するための手段】
【０００８】
本発明に係る使い捨て着用物品は、着用者の身体前側と身体後側とに延びる前後方向と、前記前後方向に直交する幅方向（幅方向Ｗ）と、着用者に向かう内方向(内方向ＩＮ)と、前記内方向と反対側に向かう外方向（外方向ＯＵＴ）とを有する吸収体（吸収体４０）を備え、前記吸収体は、前記着用者の股間部に当てられる股間部領域（股間部領域Ｓ１）において、前記幅方向における前記吸収体の中央部に形成される中央部分（中央部分４０Ｃ）と、前記幅方向における前記吸収体の側端を含む一対の側端部分（側端部分４０ＳＥ）と、前記中央部分と前記側端部分との間に位置する一対の中間部分（第１中間部分４０ＭＦ，第２中間部分４０ＭＳ）とを有するように構成された使い捨て着用物品であって、前記吸収体の前記中央部分には、前記吸収体が前記内方向に凸に曲がることができるように前記前後方向に沿って中央曲部（中央弾性材４４）が形成され、前記吸収体の前記中央曲部の前記幅方向外側には、前記吸収体が前記外方向に凸に曲がることができるように前記前後方向に沿って一対の第１曲部（外側端部４１Ｗ）が形成され、前記吸収体の前記第１曲部の前記幅方向外側には、前記吸収体が前記内方向に凸に曲がることができるように前記前後方向に沿って一対の第２曲部（第１弾性材４８）が形成されており、前記中央曲部によって前記内方向に凸となった吸収体の頂面が前記股間部に当接し、前記中央曲部の前端部（前端部４４Ｆ）は、前記第２曲部の前端部（前端部４８Ｆ）よりも後方に位置することを要旨とする。
【発明の効果】
【０００９】
本発明の特徴によれば、中央曲部の前端部が、中央曲部よりも幅方向外側に配置される第２曲部の前端部よりも後方に位置するため、股間部において着用者の前方に空間が形成され易くなり、股間部の前側が圧迫されることによる装着感の悪化を抑制することが可能となる。
【図面の簡単な説明】
【００１０】
【図１】第１実施形態に係る使い捨ておむつ１の概略斜視図である。
【図２】第１実施形態に係る使い捨ておむつ１の展開平面図である。
【図３】図２に示すＸ１-Ｘ’１線に沿った使い捨ておむつ１の幅方向断面図である。
【図４】図２に示すＸ２-Ｘ’２線に沿った使い捨ておむつ１の長さ方向断面図である。
【図５】第１実施形態に係る吸収体４０の平面図である。
【図６】第１実施形態に係る吸収体４０の斜視図である。
【図７】第１実施形態に係る使い捨ておむつ１の着用状態を模式的に示す断面図である。
【図８】第１実施形態に係る使い捨ておむつ１の着用状態を模式的示す断面図（閉脚時）である。
【図９】第２の実施形態に係る使い捨ておむつ１の吸収体の平面図である。
【図１０】第３の実施形態に係る使い捨ておむつ１の吸収体の平面図である。
【発明を実施するための形態】
【００１１】
次に、本発明に係る使い捨ておむつ１の実施形態について、図面を参照しながら説明する。具体的には、第１実施形態、第２実施形態、第３実施形態、及びその他の実施形態について説明する。
【００１２】
なお、以下の図面の記載において、同一または類似の部分には、同一または類似の符号を付している。ただし、図面は模式的なものであり、各寸法の比率などは現実のものとは異なることに留意すべきである。
【００１３】
従って、具体的な寸法などは以下の説明を参酌して判断すべきである。また、図面相互間においても互いの寸法の関係や比率が異なる部分が含まれ得る。
【００１４】
［第１実施形態］
本実施形態に係る使い捨て着用物品は、中央曲部と、一対の第１曲部と、一対の第２曲部とを備え、中央曲部の前端部が第２曲部の前端部よりも後方に位置することを特徴とする。
【００１５】
（１）使い捨て着用物品の全体概略構成
図１は、本実施形態において使い捨て着用物品を構成する使い捨ておむつ１の概略斜視図である。図１に示すように、使い捨ておむつ１は、パンツ型の使い捨ておむつである。使い捨ておむつ１は、使い捨ておむつ１の外装部分を構成する前側外装トップシート７０Ｆ、後側外装トップシート７０Ｒ、前側外装バックシート８０Ｆ、後側外装バックシート８０Ｒ、及び外装センターシート１００を備える。前側外装トップシート７０Ｆ、後側外装トップシート７０Ｒ、外装センターシート１００の内側（肌当接面側）には、綿状パルプと高分子吸水性ポリマーから構成される吸収体４０が設けられる。
【００１６】
吸収体４０には、幅方向Ｗにおける中央に中央開口４５が形成される。また、中央開口４５に重なるように中央弾性材４４が設けられる。中央開口４５の両側方には、一対のサイドスリット４２Ｓが形成される。サイドスリット４２Ｓと少なくとも一部が重なるように第１弾性材４８が設けられる。吸収体４０に形成されたこれらの弾性材やスリット等によって、使い捨ておむつ１が着用された際に吸収体４０が曲がるように構成されている。本実施形態において、中央弾性材４４は中央曲部を構成し、サイドスリット４２Ｓ及び第１弾性材４８は、第２曲部を構成する。
【００１７】
図２は、本実施形態に係る使い捨ておむつ１の展開平面図である。図３は、図２に示すＸ１−Ｘ１線に沿った使い捨ておむつ１の幅方向断面図である。図４は、図２に示すＸ２−Ｘ２線に沿った使い捨ておむつ１の長さ方向断面図である。
【００１８】
図２に示すように、使い捨ておむつ１は、着用者の前胴回りに対応する前胴回り領域Ｓ２と、着用者の後胴回りに対応する後胴回り領域Ｓ３とを有する。また、使い捨ておむつ１は、股間部領域Ｓ１、前側中間股下領域Ｓ４及び後側中間股下領域Ｓ５を有する。
【００１９】
股間部領域Ｓ１は、着用者が両脚を閉じたときに両脚間の幅が最も狭くなる着用者の股間部に当てられる領域である。前側中間股下領域Ｓ４は、吸収体４０の長さ方向Ｌにおいて股間部領域Ｓ１と前胴回り領域Ｓ２との間に位置する。後側中間股下領域Ｓ５は、長さ方向Ｌにおいて股間部領域Ｓ１と後胴回り領域Ｓ３との間に位置する。
【００２０】
前胴回り縁部４は、後胴回り縁部６と接合されるとともに、前胴回り縁部４’は、後胴回り縁部６’と接合されることによって、使い捨ておむつ１がパンツ型に形成される。
【００２１】
前胴回り領域Ｓ２及び後胴回り領域Ｓ３には、ウエストギャザー３が設けられる。ウエストギャザー３は、吸収体４０の幅方向Ｗに沿って伸縮するように配設される合成ゴムなどの細長いウエスト弾性材３Ａを有する。ウエスト弾性材３Ａは、使い捨ておむつ１の幅方向Ｗに沿って伸張された状態で接着剤（例えばホットメルト接着剤）によって、前側外装トップシート７０Ｆと前側外装バックシート８０Ｆ、及び後側外装トップシート７０Ｒと後側外装バックシート８０Ｒとに接合されている。
【００２２】
後側外装バックシート８０Ｒの中間股下縁部８には、レッグギャザー５が形成される。レッグギャザー５は、着用者の脚部に沿うように形成される。レッグギャザー５は複数のレッグ弾性材５Ａを有する。
【００２３】
使い捨ておむつ１は、表面シート１０、吸収体４０、サイドシート６０、前側外装トップシート７０Ｆ、後側外装トップシート７０Ｒ、前側外装バックシート８０Ｆ及び後側外装バックシート８０Ｒを備える。表面シート１０、吸収体４０、サイドシート６０、前側外装トップシート７０Ｆと前側外装バックシート８０Ｆ、後側外装トップシート７０Ｒと後側外装バックシート８０Ｒ、外装センターシート１００と前側外装トップシート７０Ｆ、外装センターシート１００と後側外装トップシート７０Ｒは、接着剤や熱融着などによって各々が接合されている。
【００２４】
表面シート１０は、着用者の肌に直接的に接し得る肌当接面を形成するシートである。表面シート１０は、親水性不織布や織物、開口プラスチックフィルム、開口疎水性不織布などの液透過性のシートによって形成されている。表面シート１０の非肌当接面側には、セカンドシート１５が接合されている。
【００２５】
吸収体表面被覆シート２０は、表面シート１０と吸収体４０との間に設けられている。吸収体表面被覆シート２０は、親水性不織布や織物、開口プラスチックフィルム、開口疎水性不織布、ティッシュなどの液透過性のシートによって形成されている。
【００２６】
吸収体裏面被覆シート３０は、吸収体４０を介して表面シート１０や吸収体表面被覆シート２０と逆側の面となる非肌当接面側に設けられている。吸収体裏面被覆シート３０は、液不透過性フィルムなど（例えば、ポリエチレン）のシートによって形成されている。
【００２７】
吸収体４０は、吸収体表面被覆シート２０及び吸収体裏面被覆シート３０によって被覆されている。吸収体４０は、前胴回り領域Ｓ２から後胴回り領域Ｓ３に向かう長さ方向Ｌと、長さ方向Ｌに直交する幅方向Ｗとを有する。さらに、吸収体４０は、使い捨ておむつ１を着用する着用者に向かう内方向ＩＮと、内方向と反対側に向かう外方向ＯＵＴとを有する。
【００２８】
サイドシート６０の幅方向における端部は、サイドシート同士が重なり合っている。サイドシート同士が重なり合う部分には、長さ方向Ｌに沿って伸張した状態でサイド弾性材９０が設けられている。サイド弾性材９０は、前側中間股下領域Ｓ４から股間部領域Ｓ１を経て後側中間股下領域Ｓ５まで連続している。サイド弾性材９０は、伸縮性を有する合成ゴムなどによって形成されている。
【００２９】
サイドシート６０は、吸収体４０の幅方向Ｗの両側端において、表面シート１０、吸収体表面被覆シート２０及び吸収体裏面被覆シート３０を一体に包むように設けられる。サイドシート６０は、液不透過性の不織布などのシートによって形成されており、サイドシート６０とサイド弾性材９０とによって排泄物の横漏れを防止する防漏壁が構成される。
【００３０】
外装トップシートは、前胴回り領域Ｓ２及び前側中間股下領域Ｓ４に形成される前側外装トップシート７０Ｆと、後胴回り領域Ｓ３及び後側中間股下領域Ｓ５に形成される後側外装トップシート７０Ｒとを備える。長さ方向において、前側外装トップシート７０Ｆと後側外装トップシート７０Ｒとの間には、外装センターシート１００が配置されている。外装センターシート１００の前端部は、前側外装トップシート７０Ｆの後端部と接合され、外装センターシート１００の後端部は、後側外装トップシート７０Ｒの前端部と接合される。前側外装トップシート７０Ｆ及び後側外装トップシート７０Ｒは、前胴回り領域Ｓ２及び後胴回り領域Ｓ３において、幅方向Ｗの幅が他の領域よりも大きく形成されている。前側外装トップシート７０Ｆ及び後側外装トップシート７０Ｒは、エアスルー不織布、スパンボンド不織布、ＳＭＳ不織布、防水フィルムなどによって形成できる。
【００３１】
前側外装バックシート８０Ｆは、前胴回り領域Ｓ２において前側外装トップシート７０Ｆよりも非肌当接面側に設けられる。後側外装バックシート８０Ｒは、後胴回り領域Ｓ３において後側外装トップシート７０Ｒよりも非肌当接面側に設けられる。長さ方向Ｌにおける前側外装バックシート８０Ｆ（後側外装バックシート８０Ｒ）の一端は、肌当接面側に折り返され、前側外装トップシート７０Ｆ（後側外装トップシート７０Ｒ）の長さ方向Ｌにおける端部を包むように設けられる。前側外装バックシート８０Ｆは、エアスルー不織布、スパンボンド不織布、ＳＭＳ不織布、防水フィルムなどによって形成できる。
【００３２】
中央弾性材４４は、長さ方向Ｌに沿って設けられており、使い捨ておむつ１の厚さ方向Ｔにおいて中央開口４５と重なる位置に設けられている。中央弾性材４４は、内方向ＩＮに凸、つまり、吸収体４０が着用者に向けて凸に曲がるように、長さ方向Ｌに沿って吸収体４０に重なるように形成されている。
【００３３】
第１弾性材４８は、長さ方向Ｌにおいて、使い捨ておむつ１の厚さ方向Ｔにおいて後述するサイドスリット４２Ｓと重なる位置に設けられている。第１弾性材４８は、内方向ＩＮに凸、つまり、吸収体４０が着用者に向けて凸に曲がるように、長さ方向Ｌに沿って吸収体４０に重なるように形成されている。
【００３４】
中央弾性材４４及び第１弾性材４８は、吸収体裏面被覆シート３０の非肌当接面側に伸張された状態で設けられている。また、中央弾性材４４の非肌当接面側には、弾性材被覆シート４３が設けられており、中央弾性材４４は、吸収体裏面被覆シート３０と、弾性材被覆シート４３との間に、接着剤によって接合されている。更に、第１弾性材４８の非肌当接面側には、サイドシート６０が設けられており、第１弾性材４８は、吸収体裏面被覆シート３０と、サイドシート６０との間に、接着剤によって接合されている。なお、中央弾性材４４及び第１弾性材４８は、表面シート１０に接合されていても、前側外装トップシート７０Ｆ及び後側外装トップシート７０Ｒに接合されていてもよい。
【００３５】
また、中央弾性材４４の前端部４４Ｆは、第１弾性材４８の前端部４８Ｆよりも後方に配置されている。すなわち、中央曲部の前端部は、第２曲部の前端部よりも後方に設けられる。このような構成によれば、股間部において着用者の前方に空間が形成され易くなり、股間部の前側が圧迫されることによる装着感の悪化を抑制することができる。
【００３６】
一方、第１弾性材４８の後端部４８Ｂは、中央弾性材４４の後端部４４Ｂよりも前方に配置されている。すなわち、第２曲部の後端部は、中央曲部の後端部よりも前方に設けられる。第２曲部が後方に長すぎると、第２曲部が臀部近傍まで延び、吸収体４０が臀部のカーブに沿い難くなることがある。しかし、このような構成によれば、着用物品が滑らかな曲線状になり易く、着用物品を臀部に沿って配置することができ、着用物品と肌との間に適度な空間を保持することができる。よって、着用物品と肌との間の空間に排泄された尿や便等の排泄物を一時的に溜めることができ、液漏れ等、排泄物の漏れを防ぐことができる。また、着用物品が臀部に沿った形状となるため、着用物品の外形が身体に沿った形状となり、外観を良好に保つことができる。
【００３７】
中央弾性材４４の素材には、例えば、スチレン−ブタジエン、ブタジエン、イソプレン、ネオプレン等の合成ゴム、天然ゴム、ＥＶＡ、伸縮性ポリオレフィン、スパンデックス、発泡ポリウレタン等を挙げることができる。その他、中央弾性材４４の材料としては、伸縮不織布などの弾性シートを用いてもよい。
【００３８】
第１実施形態では、中央弾性材４４は、幅方向Ｗに、約１０ｍｍに渡って３本並列した状態で配置された中央部弾性部材４４Ｃと、中央部弾性部材の側方に２本ずつ並列した状態で配置された中央補助弾性部材４４Ｓと、を有する。中央弾性材４４の長さ方向Ｌの長さは約１２０ｍｍである。中央弾性材は、６２０ｄｔｅｘの太さ、２．５倍の伸張倍率で３本伸張固定され、その幅方向外側に、中央補助弾性部材４４Ｓが６２０ｄｔｅｘの太さ、１．８倍の伸張倍率で２本ずつ伸張固定されている。中央弾性材４４の材質は、スパンデックスである。吸収体が凸に曲がる前の状態において、中央弾性材４４のうち、幅方向における中央弾性材の中央に位置する中央部弾性部材４４Ｃは、中央部弾性部材４４Ｃの幅方向外側に設けられた中央補助弾性部材４４Ｓの応力よりも高くなるように設けられている。したがって、中央弾性材４４によって、より確実に内方向ＩＮに凸、つまり吸収体４０が着用者に向けて凸に曲がるようになる。また、凸の山の曲線がなだらかとなり、肌と密着する面積を高めることができる。中央部弾性部材４４Ｃの伸張倍率は１．４倍から３.０倍、中央補助弾性部材４４Ｓの伸張倍率は１．２倍から２．８倍が好ましい。
【００３９】
第１実施形態では、第１弾性材４８は、幅方向Ｗに３本並列した状態で配置されている。第１弾性材４８の材質は、スパンデックスである。第１弾性材４８は、６２０ｄｔｅｘの太さ、２．０倍の伸張倍率で３本ずつ伸張固定されている。なお、第1弾性材４８は、吸収体が凸に曲がる前の状態で、中央弾性材４４よりも低い応力となるように構成されている。吸収体が凸に曲がる前の状態とは、換言すれば、図２に示す、着用物品を平面に伸ばした状態である。第1弾性材４８を中央弾性材４４よりも低い応力となるように構成することで、中央弾性材４４によって形成される凸状部分の高さが、第1弾性材４８によって形成される凸状部分よりも高くなる。よって、着用時において中央領域の凸状部分を着用者の排泄口側に密着させることが可能となる。
【００４０】
弾性材の応力は、例えば、次のようにして測定することができる。
（１）凸状部分を形成する弾性材を幅方向にすべて含むように、弾性材を挟み込んだ資材ごと切り出す。具体的には、本実施例に係る着用物品においては、５mm間隔で３本ずつ配置された中央弾性材及び第１弾性材を挟み込んだ資材をたるみがないように伸長させた状態で、幅13mm×長さ100mmを切り出す。同じく伸長させた状態で長手方向両端部からそれぞれ１０mm内側にマーキングする。伸長応力の測定には、インスロンジャパンカンパニィリミテッド社製の引張り試験機（例えば、型式：5564）、又は株式会社島津製作所製オートグラフ（例えば、型式：AGS-1kNG）を使用した。
【００４１】
（２） （１）の試料を、マーキング部がチャック内側端部になるように上部チャックで挟むとともに、他方のマーキング部がチャック内端部になるように下部チャックで挟む。チャック間における試料の長さ寸法は、８０ｍｍとなる。なお、弾性材のギャザーとして効いている長さが１００ｍｍより短い場合は、ギャザーとして効いている弾性材の長さうち最も短い長さより２０ｍｍ短い長さをチャック間における試料の長さに設定する。初期のチャック間距離は初期に試料のテンションが掛からないようにするため、試料が縮んだときの長さ(自然長)よりも短く設定する。それらチャックが互いに離間するように試料を１００ｍｍ／ｍｉｎの条件で上下方向へ引っ張り、試料を伸長する。 
【００４２】
（３） 試料を、弾性部材を挟み込んだ資材がたるみなく伸長したときの試料のチャック間における長さ寸法を１００％として、試料のチャック間の長さ寸法が９０％になるまで試料を伸ばし、そのときの試料の伸長時応力を測定し、弾性材の応力とする。すなわち上記本実施例では試料の１００％長さ寸法８０ｍｍに対して９０％の７２ｍｍまで試料を伸ばしたときの伸長時応力を測定する。
【００４３】
また、中央弾性材４４及び第１弾性材４８の後方であって、中央弾性材４４及び第１弾性材４８の幅方向外側には、第２弾性材４９が設けられている。第２弾性材４９は、使い捨ておむつ１の厚さ方向Ｔにおいて吸収体４０と重なる位置に設けられている。第２弾性材４９は、臀部近傍の着用物品を内方向ＩＮ側に収縮させて、着用物品を臀部に沿った形状にするように構成されている。また、着用物品が臀部に沿った形状となることにより、着用物品の外形が身体に沿った形状となり、外観を良好に保つことができる。第２弾性材４９の材質は、スパンデックスであり、７８０ｄｔｅｘの太さ、２．３倍の伸張倍率で伸張固定されている。
【００４４】
第１弾性材４８と第２弾性材４９とは、幅方向Ｗにおいて重ならないように設けられている。すなわち、第１弾性材４８と第２弾性材４９とは、長さ方向Ｌにおいて離間している。第１弾性材４８は、内方向ＩＮ側に凸状の第２曲部を形成している。第１弾性材４８よりも幅方向外側には、第２曲部の山部に対する谷部が設けられる。第２弾性材４９は、第１弾性材４８よりも幅方向外側に配置され、吸収体４０を内方向ＩＮ側に向けて付勢する。第１弾性材４８と第２弾性材４９を近接して配置すると、第２曲部の山部に対する谷部が第２弾性材４９の付勢力によって押し上げられて、第２曲部によって形成される凸形状が維持され難くなるおそれがある。よって、第１弾性材４８と第２弾性材４９とは、幅方向Ｗにおいて重ならないように設けることが望ましい。また、第１弾性材４８と第２弾性材４９とが幅方向Ｗにおいて重なる場合には、重なる領域の長さ方向Ｌの長さは、２０ｍｍ以下であることが望ましい。
【００４５】
また、吸収体表面被覆シート２０は、サイドスリット４２Ｓが形成された部分において、吸収体裏面被覆シート３０と接合されるように構成してもよい。このように構成することで、吸収体４０が変形してサイドスリット４２Ｓが閉じたり、吸収体表面被覆シート２０等と吸収体４０とがずれたりすることを抑制できる。また、吸収体４０が液体を吸収して膨らんだ場合において、サイドスリット４２Ｓが閉じることを防止できるため、サイドスリット４２Ｓによって凸状部分を確実に形成することが可能となる。
【００４６】
なお、上述した使い捨ておむつ１を構成する各部材は、例えば、特開２００６−３４６４３９号公報に記載された材料を用いてもよい。
【００４７】
（２）吸収体の構造
図５は、吸収体４０の平面図であり、図６は、吸収体４０の斜視図である。図５及び図６に示すように、吸収体４０は、第１層４１と、第１層４１と重ねられる第２層４２とを有する。第１層４１は、着用者の非肌当接面側に位置し、第２層４２は、着用者の肌当接面側に位置する。
【００４８】
第１層４１と、第２層４２とは、綿状パルプと高分子吸収性ポリマー（ＳＡＰ）とから構成されている。第１層４１は、パルプ２７０ｇ／ｍ２とＳＡＰ１７０ｇ／ｍ２とを混合させて形成されており、厚さ方向Ｔにおける厚さは約３．０ｍｍである。第２層４２は、パルプ４００ｇ／ｍ２とＳＡＰ２４０ｇ／ｍ２とを混合させて形成されており、厚さ方向Ｔにおける厚さは約４．４ｍｍである。つまり、第１層４１と、第２層４２とが重なる部分の厚さは約７．４ｍｍとなる。なお、第１層４１は、パルプ１００〜５００ｇ／ｍ２であって、ＳＡＰ２０〜５００ｇ／ｍ２が好ましく、第２層４２は、パルプ１００〜５００ｇ／ｍ２であって、ＳＡＰ０〜５００ｇ／ｍ２が好ましい。
【００４９】
図２及び図６に示すように、第１層４１は、幅方向Ｗの中央に向かって凹み、幅方向Ｗにおいて所定の幅を有する幅狭部４１Ｎと、長さ方向Ｌにおける幅狭部４１Ｎの両端に形成される幅広部４１ＦＬと幅広部４１ＢＬとを有している。幅狭部４１Ｎは、股間部領域Ｓ１に形成されている。また、幅広部４１ＦＬは前胴回り領域Ｓ２に形成され、幅広部４１ＢＬは後胴回り領域Ｓ３に形成されている。幅狭部４１Ｎの側端と、幅広部４１ＦＬ，幅広部４１ＢＬの側端とは、曲線で結ばれており、第１層４１は砂時計型の平面形状を有する。
【００５０】
また、第１層４１には、幅方向Ｗの中央部に中央開口４５が形成されている。中央開口４５は、長さ方向Ｌに沿って延在する縦長の形状を有し、股間部領域Ｓ１、前側中間股下領域Ｓ４及び後側中間股下領域Ｓ５とに跨って形成されている。中央開口４５の長さは、約１８０ｍｍであり、幅は約４０ｍｍである。このように中央開口４５を形成することにより、中央部分４０Ｃを着用者側である内方向ＩＮに凸に曲がり易くすることができる。また、吸収体の前後方向への体液等の拡散性を高め、広い範囲において体液等を拡散させて、吸収性能を向上させることができる。
【００５１】
また、第１層の幅狭部４１Ｎの密度は、第１層４１の幅広部４１ＦＬの密度よりも高く、かつ、第１層４１の幅広部４１ＢＬの密度よりも高くなるように構成されている。更に、第１層４１の幅狭部４１Ｎの密度は、第２層４２の密度よりも高い。したがって、第１層４１の幅狭部４１Ｎは、第１層４１の他の部分や第２層４２よりも剛性が高くなる。
【００５２】
第２層４２は、前端部から中央に向かって切り欠きが形成された切り欠き部４２ＦＬと、後端部から中央に向かって切り欠きが形成された切り欠き部４２ＢＬと、切り欠き部４２ＦＬと切り欠き部４２ＢＬとの間に位置する中央部４２Ｎと、を有する。
【００５３】
第２層４２の幅方向の長さは、第１層４１の幅狭部４１Ｎよりも長く、第１層４１の幅広部４１ＢＬ及び幅広部４１ＦＬにおいて最も幅が広い部分の長さと略同じ長さである。第２層には、前後方向における両端部から中央に向かって延びる切り欠き４２ＣＦＬ及び切り欠き４２ＣＢＬが形成されている。
【００５４】
第２層４２には、一対のサイドスリット４２Ｓが形成されている。サイドスリット４２Ｓは、内方向ＩＮに凸、つまり吸収体４０が中央開口４５と同じ凸に曲がるように、長さ方向Ｌに沿って吸収体４０に形成されている。サイドスリット４２Ｓの長さは中央開口４５よりも短く、サイドスリット４２Ｓの幅は中央開口４５よりも狭い。具体的には、サイドスリット４２Ｓの長さは、約１１０ｍｍであり、幅は約１５ｍｍである。
【００５５】
切り欠き４２ＣＦＬは、前側中間股下領域Ｓ４と前胴回り領域Ｓ２とに跨って形成され、切り欠き４２ＣＢＬは、後側中間股下領域Ｓ５に形成されている。切り欠き４２ＣＦＬの開口形状は、中央に向かって幅方向内側に延びる。
【００５６】
切り欠き４２ＣＦＬの幅方向における両外縁は、股間部領域Ｓ１及び前側中間股下領域Ｓ４において、第１層４１の幅狭部４１Ｎの幅方向における両外縁と略同じ幅である。このような構成によれば、着用物品を着用した状態で足を閉じて折り畳まれた際の吸収体の前方部分の幅を小さくすることができる。よって、着用者の身体前側における吸収体の厚みを小さくし、股間部の違和感を少なくすることができる。
【００５７】
切り欠き４２ＣＢＬの幅方向における両外縁は、後側中間股下領域Ｓ５において、第１層４１の幅広部４１ＢＬの幅方向における両外縁と略同じ幅である。このような構成によれば、吸収体に体液が吸収された状態で吸収体が膨らんだ際に、吸収体と着用者の肌との間に空間を確保し易くなる。更に、切り欠き４２ＣＢＬを設けることにより、第２層４２から第１層４１へ体液を円滑に移行させることができ、吸収体の性能を有効に活かすことができる。
【００５８】
股間部領域Ｓ１において、第１層４１の幅方向における外側端部４１Ｗは、前後方向に沿って配置されている。吸収体４０の外側端部４１Ｗよりも幅方向外側は、第２層４２のみによって構成され、外側端部４１Ｗよりも内側は、中央開口４５が形成された部分を除いて、第１層４１と第２層４２とによって構成される。よって、第１層４１の外側端部４１Ｗを境界として、吸収体４０の剛性及び厚みが変化する。本実施の形態では、剛性等が変化する第１層の外側端部４１Ｗを境界として、吸収体が曲がる。すなわち、第１層４１の外側端部４１Ｗが第１曲部を構成する。このように、吸収体４０の厚み等が変化する第１層の外側端部４１Ｗを境界として凸状部分を形成する構成によれば、スリットによって凸状部分を形成する構成と比較して、凸状部分近傍にスリット等による開口を形成する必要がないため、吸収性能を維持しつつ凸状部分を形成することができる。なお、第1層４１の幅方向における外側端部４１Ｗは、第１層の前後方向に沿った端辺である。よって、第1曲部は、前後方向に沿って形成される。
【００５９】
このような第１層４１と第２層４２とによって構成される吸収体４０は、図３に示すように、中央部分４０Ｃ、第１中間部分４０ＭＦ、第２中間部分４０ＭＳ、及び側端部分４０ＳＥを有する。中央部分４０Ｃは、幅方向Ｗにおける吸収体４０の中央部に形成される。中間部分は、中央部分４０Ｃと側端部分４０ＳＥとの間に位置する。中間部分は、第１中間部分４０ＭＦと、第２中間部分４０ＭＳと、を有する。第１中間部分４０ＭＦは、中央部分４０Ｃと第２中間部分４０ＭＳとの間に位置する。第１中間部分４０ＭＦには、第１曲部による凸状部分が形成される。第２中間部分４０ＭＳは、第１中間部分４０ＭＦと側端部分４０ＳＥとの間に位置する。第２中間部分４０ＭＳには、第２曲部による凸状部分が形成される。側端部分４０ＳＥは、幅方向Ｗにおける吸収体４０の側端に形成される。
【００６０】
本実施形態では、股間部領域Ｓ１において、中央部分４０Ｃ、第２中間部分４０ＭＳ及び側端部分４０ＳＥは、第２層４２のみによって形成されている。一方、第1中間部分４０ＭＦは、第２層４２のみによって形成されている部分と、第１層４１と第２層４２とによって形成されている部分とを有する。したがって、第１中間部分４０ＭＦの一部における吸収体４０の厚さは、中央部分４０Ｃ及び側端部分４０ＳＥにおける吸収体４０の厚さよりも厚い。
【００６１】
吸収体４０の厚さは、吸収体４０の製品長及び製品幅に伸ばされた状態（つまり、しわの入らないように平坦な状態）で厚さ測定器に測定したい部分を挟み込んで測定する。使用可能な測定装置としては、例えば、ＰＥＡＣＯＣＫ製厚み計（測定部：直径５ｍｍ、測定時圧力：１６３ｇ／ｃｍ２）を用いることができる。
【００６２】
本実施形態では、第１層４１と第２層４２とは、厚さ方向Ｔに沿って押圧されることによって一体となっている。なお、第１層４１と第２層４２とは、接着剤や熱融着などによって一体としても構わない。また、吸収体４０は、第１層４１が非肌当接面側に位置し、第２層４２が、肌当接面側に位置しているが、第２層４２が非肌当接面側に位置し、第１層４１が肌当接面側に位置してもよい。
【００６３】
（３）吸収体の形状変化
図７は、使い捨ておむつ１の着用状態を模式的に示す断面図（図１のＸ１−Ｘ’１線基準）である。図７に示すように、使い捨ておむつ１が着用されると、中央弾性材４４、第１弾性材４８、及び第１層４１の幅方向における外側端部４１Ｗを基点として吸収体４０が曲がり、使い捨ておむつ１の幅方向Ｗに沿った断面形状は、波状に変形する。この結果、中央弾性材４４によって内方向ＩＮに凸となった吸収体４０の頂面が着用者の股間部に当接する。また、変形した状態の吸収体４０の高さ４０Ｔを二分した仮想線Ｍよりも着用者の身体に近接した上側領域４０Ｕには、中央部分４０Ｃ位置する。一方、仮想線Ｍよりも着用者の身体から離隔した下側領域４０Ｄには、第１中間部分４０ＭＦ、第２中間部分４０ＭＳ及び側端部分４０ＳＥが位置する。
【００６４】
中央曲部による凸状部分が形成される中央部分４０Ｃは、第２層４２のみによって構成されており、比較的厚みが薄い。中央曲部による凸状部分と第１曲部による凸状部分との間の第１中間部分４０ＭＦは、第１層と第２層とが重なっており、比較的厚みが厚い。更に、第１層４１の股間部領域Ｓ１の密度は、第１層４１における他の領域の密度と比較して高く、剛性が高い。中央曲部と第１曲部との間の剛性が高い部分によって中央曲部による凸状部分を支持することができ、中央曲部による凸形状の安定性を向上させることができる。
【００６５】
なお、サイド弾性材９０を含む側縁部５０Ａ（レッグスタンディングギャザー）は、図中の厚さ方向Ｔにおいて、中央部分４０Ｃよりも高い位置、つまり、着用者側に位置していることが好ましい。
【００６６】
図８は、着用者が脚を閉じた場合における使い捨ておむつ１の着用状態を模式的示す断面図（図２のＸ１−Ｘ’１線基準）である。なお、図中の仮想線は、着用者の股間部及び両脚部を示す。
【００６７】
図８に示すように、着用者が両脚を閉じると、使い捨ておむつ１の断面形状は、図７に示した状態から図８に示す状態に変化する。図８に示すように、着用者が両脚を閉じた場合、中央部分４０Ｃ及び第２中間部分４０ＭＳは、着用者の股間部と当接するように位置する。一方、第１中間部分４０ＭＦ及び側端部分４０ＳＥは、中央部分４０Ｃよりも下方（股下側）に位置する。
【００６８】
以上説明した使い捨ておむつ１によれば、吸収体４０が内方向ＩＮに凸に曲がるように吸収体４０に形成された中央弾性材４４及び第１弾性材４８と、吸収体４０が外方向ＯＵＴに凸に曲がるように吸収体４０に形成された一対のサイドスリット４２Ｓとが備えられる。中央曲部を構成する中央弾性材４４と第１曲部を構成する第１層４１の外側端部４１Ｗとの幅方向における距離は、外側端部４１Ｗと第２曲部を構成する第１弾性材との幅方向における距離よりも長い。したがって、中央部分４０Ｃの凸状部分の高さは、第２中間部分４０ＭＳの凸状部分の高さよりも高い。このため、使い捨ておむつ１の着用時において、着用者の排泄口に向けて凸状となった中央部分４０Ｃは、排泄口と密着し易い。また、第1中間部分４０ＭＦは、凹部を形成するため、当該凹部に排泄物が入り込み易く、着用者の肌と排泄物が直接接触することを抑制できる。
【００６９】
特に、中央弾性材４４の部分には中央開口４５が形成され、かつ、吸収体４０にはサイドスリット４２Ｓが形成されるため、吸収体４０に厚さの薄い部分を形成して凸状部分とする場合と比較して、吸収体４０が液体を吸収して膨らんだ場合でも吸収体４０が曲がり易くなる。また、使い捨ておむつ１を着用して吸収体４０が変形したときの断面形状は、股下から股間部に向かって狭くなる先細り状となり、着用者の股間部の隙間に収まり易く違和感を与えにくい。
【００７０】
また、中央曲部によって形成される凸状部分は、第２層のみによって構成されており、第１層４１と第２層４２とが積層されて構成された部分よりも厚みが薄い。すなわち、中央曲部によって形成される凸状部分は、厚みが薄くかつ高さが高いため、股間部の狭い隙間に挿入され易くなり、排泄口と密着し易くなる。よって、例えば、排尿口と吸収体とが密着するため、排泄された尿を迅速に吸収することができる。
【００７１】
更に、股間部領域Ｓ１において、第１曲部と中央曲部との間に位置する吸収体４０の密度は、中央部分４０Ｃ及び側端部分４０ＳＥの吸収体４０の密度よりも高くなるように構成されている。すなわち、第１曲部と中央曲部との間に位置する吸収体４０の剛性は、中央部分４０Ｃ及び側端部分４０ＳＥの吸収体４０の剛性よりも高く、かつ第１曲部よりも幅方向外側の吸収体４０よりも高くなるように構成されている。第１曲部と中央曲部との間に位置する吸収体４０は、中央曲部の幅方向外側に位置しており、中央の凸状部分を支持する。第１曲部と中央曲部との間に位置する吸収体４０の密度が高いことにより、中央曲部が排泄口に当接して着用者の身体によって押圧された場合であっても、中央曲部を起立させた状態で維持することができる。なお、着用者の排泄口側に突出する中央部分４０Ｃの厚みは薄く、かつ剛性が低いため、第１曲部と中央曲部との間に位置する吸収体４０によって中央の凸状部分を支持した場合であっても、着用者への圧迫感は低く、装着感の悪化を抑制することができる。
【００７２】
すなわち、使い捨ておむつ１によれば、排泄口近傍において吸収体を密着させて吸収性能を高めることができる。また、身体の前側において適度な空間を保ちつつ、身体の後側でフィット性を高めることができ、装着感を向上させることができる。
【００７３】
本実施形態では、吸収体４０は、第１層４１と第２層４２との２層構造であるが、本発明に係る着用物品の吸収体４０は、１層のみによって構成されていもよいし、３層以上で構成されていもよい。
【００７４】
［第２実施形態］
次に、第２実施形態に係る使い捨ておむつの吸収体４０Ｇ、４０Ｈ、４０Ｉ、４０Ｊの構成について、図面を参照しながら説明する。なお、上述した第１実施形態に係る使い捨ておむつ１と同一部分には同一の符号を付して、相違する部分を主として説明する。
【００７５】
図９は、第２実施形態に係る使い捨ておむつの吸収体の平面図である。第２の実施形態に係る吸収体は、第１層のみによって構成されており、曲部を形成する構成が第１の実施形態に係る吸収体と異なっている。
【００７６】
図９（ａ）に示す吸収体４０Ｇは、５つの曲部が形成されており、中央曲部と、一対の第２曲部とは、長さ方向に沿った中央弾性材４４及び第１弾性材４８によって構成され、内方向ＩＮに凸状となる。また、幅方向において、中央弾性材４４と第１弾性材４８との間には、厚み方向に圧縮された圧搾部４７が形成されている。一対の第１曲部は、圧搾部４７によって構成され、外方向ＯＵＴに凸状となる。なお、圧搾部４７は、厚み方向において圧縮されていればよく、例えばエンボス加工によって形成される。
【００７７】
図９（ｂ）に示す吸収体４０Ｈは、曲部の構成は、図９（ａ）に示す吸収体４０Ｇと同様であるが、吸収体の外形が異なっている。吸収体４０Ｈは、股間部領域Ｓ１に対する長さ方向Ｌの外側に、幅方向の長さが狭く形成された一対の幅狭部４０Ｎを有する。曲部は、長さ方向において、一対の幅狭部４０Ｎの間に配置されている。このように、曲部が形成された股間部領域Ｓ１の長さ方向外側に幅狭部４０Ｎを設けることにより、曲部による凹凸変形を股間部領域Ｓ１から前後方向に延びることを抑制することができる。よって、例えば、股間部に対して前後方向外側に位置する臀部等において、着用物品を身体に沿わせて配置し易くなり、フィット性を更に向上させることができる。
【００７８】
図９（ｃ）に示す吸収体４０Ｉは、５つの曲部が形成されており、中央曲部と、一対の第２曲部とは、長さ方向に沿った中央弾性材４４及び第１弾性材４８によって構成され、内方向ＩＮに凸状となる。また、幅方向において、中央弾性材４４と第１弾性材４８との間には、長さ方向に延びるスリット４０Ｓが形成されている。一対の第１曲部は、スリット４０Ｓによって構成され、外方向ＯＵＴに凸状となる。
【００７９】
吸収体４０Ｉの股間部領域に対する長さ方向の両外側には、幅方向内側から外側に向かって、長さ方向外側に延びる圧搾部４７が形成されている。このように、曲部の長さ方向外側に圧搾部４７を設けることによっても、凸状部分が前後方向に延びて形成されることを抑制することができる。
【００８０】
図９（ｄ）に示す吸収体４０Ｊは、７つの曲部が形成されている。中央曲部から幅方向外側に向かって、第１曲部、第２曲部、第３曲部、及び第４曲部が形成されている。中央曲部と、一対の第２曲部と、第４曲部は、長さ方向に沿った中央弾性材４４及び第１弾性材４８、第３弾性材４６によって構成され、内方向ＩＮに凸状となる。幅方向において、中央弾性材４４と第1弾性材４８との間には、長さ方向Ｌに延びる圧搾部４７が形成されており、第１弾性材４８と第３弾性材４６との間には、スリット４０Ｓが形成されている。一対の第１曲部は、圧搾部４７によって構成され、一対の第３曲部は、スリット４０Ｓによって構成され、外方向ＯＵＴに凸状となる。
【００８１】
吸収体４０Ｊの股間部領域に対する長さ方向の外側には、幅方向内側から外側に向かって長さ方向外側に延びるスリット４０Ｓが形成されている。このように、曲部の長さ方向外側にスリット４０Ｓを設けることによっても、曲部によって形成される凸状部分が前後方向に延びて形成されることを抑制することができる。
【００８２】
［第３実施形態］
次に、第３実施形態に係る使い捨ておむつの吸収体４０Ｋ、４０Ｌ、４０Ｐ、４０Ｑの構成について、図面を参照しながら説明する。なお、上述した第１実施形態に係る使い捨ておむつ１と同一部分には同一の符号を付して、相違する部分を主として説明する。
【００８３】
図１０は、第３実施形態に係る使い捨ておむつの吸収体の平面図である。第３の実施形態に係る吸収体４０は、第１層４１及び第２層４２とによって構成されている。
【００８４】
図１０（ａ）に示す吸収体４０Ｋの第１層は、幅方向Ｗの中央に向かって凹む幅狭部４１Ｎと、幅狭部４１Ｎよりも長い幅を有する幅広部４１ＦＬ及び幅広部４１ＢＬとを有している。幅狭部４１Ｎは、股間部領域Ｓ１に配置される。幅狭部４１Ｎの側端と、幅広部４１ＦＬ，幅広部４１ＢＬの側端とは、曲線で結ばれており、第１層４１は砂時計型の平面形状を有する。
【００８５】
中央曲部は、第１層と第２層とが重なった部分に形成され、第１曲部は、第１層の幅狭部４１Ｎの外側端部４１Ｗによって構成される。また、第２曲部は、第１層のみの部分に形成される。第２層は、長さ方向Ｌと、幅方向Ｗとを有する長方形状である。
【００８６】
図１０（ｂ）に示す吸収体４０Ｌの第１層４１は、図１０（ａ）に示す吸収体４０Ｋと同様に、砂時計型の平面形状を有する。第２層４２の股間部領域に対する前方と後方には、それぞれ一対のスリット４０Ｓが形成されている。各スリット４０Ｓの幅方向外側の外端縁は、第１層の砂時計型の平面形状を構成する外縁と略一致している。
【００８７】
股間部前方においては、着用時に足を閉じたときの隙間が最も小さくなる傾向があるため、股間部における吸収体４０の厚みを減少させることにより、股間部の違和感低減の効果が高い。また、股間部後方においては、体液吸収後に吸収体４０が膨らんだ場合であっても、吸収体と肌との空間を確保し易くなる。また、スリット４０Ｓを介して尿等の体液を第１層４１へ円滑に移行させることができる。
【００８８】
図１０（ｃ）に示す吸収体４０Ｐの第１層４１は、長さ方向Ｌと、幅方向Ｗとを有する長方形状である。また、第２層４２は、砂時計型の平面形状である。第１層の股間部領域に対する前方と後方には、それぞれ一対のスリット４０Ｓが形成されている。各スリット４０Ｓの幅方向外側の外端縁は、砂時計型の平面形状を構成する第２層４２の外縁と略一致している。
【００８９】
図１０（ｄ）に示す吸収体４０Ｑは、長さ方向Ｌと、幅方向Ｗとを有する長方形状の第１層４１及び第２層４２によって構成されている。第２層４２には、中央曲部を構成する中央弾性材４４の幅方向外側に位置するスリット４０Ｓが形成されている。このスリット４０Ｓによって第１曲部による凸状部分が形成される。第１曲部を形成するスリット４０Ｓの幅方向外側には、長さ方向に延び、かつ長さ方向外側に向かって幅方向外側に延びるスリット４０Ｓが形成されている。このスリット４０Ｓ及び第1弾性材４８によって、第２曲部による凸状部分が形成される。
【００９０】
［その他の実施形態］
上述したように、本発明の実施形態を通じて本発明の内容を開示したが、この開示の一部をなす論述及び図面は、本発明を限定するものであると理解すべきではない。この開示から当業者には様々な代替実施の形態、実施例及び運用技術が明らかとなる。
【００９１】
例えば、上述した実施形態では、パンツ型の使い捨ておむつとして説明したが、本発明は、これに限定されるものではなく、オープン型の使い捨ておむつ、失禁用パッド及び生理用ナプキンなどに適用してもよい。
【００９２】
上述した実施形態では、スリット、弾性材又は剛性の変化する境界部分を用いて吸収体が曲がるよう構成したが、吸収体の厚さを薄くしたり、吸収体にエンボス加工を施したりすることによって吸収体が曲がるよう構成してもよい。
【００９３】
このように、本発明は、ここでは記載していない様々な実施の形態などを含むことは勿論である。従って、本発明の技術的範囲は、上述の説明から妥当な特許請求の範囲に係る発明特定事項によってのみ定められるものである。
【符号の説明】
【００９４】
１…使い捨ておむつ（使い捨て着用物品）、３…ウエストギャザー、３Ａ…ウエスト弾性材、４，４’…前胴回り側縁部、５…レッグギャザー、５Ａ…レッグ弾性材、６，６’…後胴回り縁部、７…吸収体横断ギャザー、７Ａ…横断弾性材、８…中間股下縁部、１０…表面シート、１５…セカンドシート、２０…吸収体表面被覆シート、３０…吸収体裏面被覆シート、４０，４０Ｇ，４０Ｈ,４０Ｉ，４０Ｊ，４０Ｋ,４０Ｌ，４０Ｐ，４０Ｑ…吸収体、４０Ｃ…中央部分、４０Ｄ…下側領域、４０ＭＦ…第１中間部分、４０ＭＳ…第２中間部分、４０Ｎ…幅狭部、４０Ｓ…スリット、４０ＳＥ…側端部分、４０Ｕ…上側領域、４１…第１層、４１ＢＬ，４１ＦＬ…幅広部、４１Ｎ…幅狭部、４１Ｗ…外側端部、４２…第２層、４２ＢＬ，４２ＦＬ…切り欠き部、４２ＣＢＬ,４２ＦＢＬ…切り欠き、４２Ｎ…中央部、４２Ｗ…外側端部、４２Ｓ…サイドスリット，４３…弾性材被覆シート、４４…中央弾性材、４４Ｃ…中央部弾性部材、４４Ｂ…後端部、４４Ｆ…前端部、４４Ｓ…中央補助弾性部材、４５…中央開口、４６…第３弾性材、４７…圧搾部、４８…第１弾性材、４８Ｂ…後端部、４８Ｆ…前端部、４９…第２弾性材、５０Ａ…側縁部、６０…サイドシート、７０Ｆ…前側外装トップシート、７０Ｒ…後側外装トップシート、８０Ｆ…前側外装バックシート、８０Ｒ…後側外装バックシート、９０…サイド弾性材、１００…外装センターシート、Ｓ１…股間部領域、Ｓ２…前胴回り領域、Ｓ３…後胴回り領域、Ｓ４…前側中間股下領域、Ｓ５…後側中間股下領域
【図１】
0005705575.tif 000002
【図２】
0005705575.tif 000003
【図３】
0005705575.tif 000004
【図４】
0005705575.tif 000005
【図５】
0005705575.tif 000006
【図６】
0005705575.tif 000007
【図７】
0005705575.tif 000008
【図８】
0005705575.tif 000009
【図９】
0005705575.tif 000010
【図１０】
0005705575.tif 000011